(57)【要約】【課題】必要時のみ機器異常判断を実行し、機器異常や流量異常の誤判断を起こさない超音波流量計を提供する。【解決手段】被計測流体が流れるガス流路１０ｃの上流側と下流側に一定の距離を離して設置された一対の超音波振動子１１ａ及び１１ｂと、一対の超音波振動子の間で送受される超音波信号の伝播時間を計測する時間計測手段と、時間計測手段により計測された伝搬時間に基づいて被計測流体の流量を計測する流量計測手段とを有する超音波流量計であって、超音波信号の受信信号の電圧レベルを計測する電圧計測手段と、電圧計測手段及び流量計測手段に基づき機器異常と流量異常との少なくとも一方の異常の検出を行う異常検出手段と、当該超音波流量計の設置状態を検出する設置状態検出手段とを備え、異常検出手段は、設置状態検出手段により検出された当該超音波流量計の設置状態に基づいて機器異常と流量異常との少なくとも一方の異常の検出を行うか否かを判断する。【選択図】図１
2008170213.tif 000002
【特許請求の範囲】
【請求項１】
被計測流体が流れる流路の上流側と下流側に一定の距離を離して設置された一対の超音波振動子と、
前記一対の超音波振動子の間で送受される超音波信号の伝播時間を計測する時間計測手段と、
前記時間計測手段により計測された前記伝搬時間に基づいて前記被計測流体の流量を計測する流量計測手段とを有する超音波流量計であって、
前記超音波信号の受信信号の電圧レベルを計測する電圧計測手段と、
前記電圧計測手段及び前記流量計測手段に基づき機器異常と流量異常との少なくとも一方の異常の検出を行う異常検出手段と、
当該超音波流量計の設置状態を検出する設置状態検出手段とを備え、
前記異常検出手段は、前記設置状態検出手段により検出された当該超音波流量計の設置状態に基づいて機器異常と流量異常との少なくとも一方の異常の検出を行うか否かを判断することを特徴とする超音波流量計。
【請求項２】
前記設置状態検出手段は、傾きを検出する傾斜検出部を備え、前記傾斜検出部により検出された傾斜データに基づき当該超音波流量計の設置状態を検出することを特徴とする請求項１記載の超音波流量計。
【請求項３】
前記設置状態検出手段は、圧力を検出する圧力検出部を備え、前記圧力検出部により検出された圧力データに基づき当該超音波流量計の設置状態を検出することを特徴とする請求項１又は請求項２記載の超音波流量計。
【請求項４】
前記設置状態検出手段は、震動を検出する震動検出部を備え、前記震動検出部により検出された震動データに基づき当該超音波流量計の設置状態を検出することを特徴とする請求項１乃至請求項３のいずれか１項記載の超音波流量計。
【請求項５】
前記設置状態検出手段は、加速度を検出する加速度検出部を備え、前記加速度検出部により検出された加速度データに基づき当該超音波流量計の設置状態を検出することを特徴とする請求項１乃至請求項４のいずれか１項記載の超音波流量計。
【発明の詳細な説明】
【技術分野】
【０００１】
本発明は、設置状態に応じた機器異常判断を行う機能を有する超音波流量計に関する。
【背景技術】
【０００２】
従来、流路の上流側と下流側に一定の距離をおいて一対の超音波振動子を設け、その間で相互に超音波信号の送信および受信を繰り返して行い、上流側から下流側への超音波信号の伝播積算時間と、下流側から上流側への伝搬積算時間との差に基づいて流量を求める超音波流量計が知られている。
【０００３】
さらに、流路にガス以外の流体が混在した状態で計測した場合、流量異常が生じていると誤判断を起こすという問題を避けるため、空気とガスとが混在した状態で発生していると判断できる間、流量異常の判断を停止させる流量計測装置もある（例えば、特許文献１参照）。
【０００４】
図４は、特許文献１に公開されている流量計測装置を組み込んだ電子式ガスメータを示す。図示の電子式ガスメータは超音波式として構成されており、ガス流路内に距離Ｌだけ離され、かつ、ガス流方向Ｙに対して角度θをなすように、互いに対向して配置された２つの音響トランスジューサＴＤ１及びＴＤ２を有する。
【０００５】
２つの音響トランスジューサＴＤ１及びＴＤ２は、超音波周波数で作動する例えば圧電式振動子から構成されている。ガス流路には、両音響トランスジューサＴＤ１、ＴＤ２の上流側に弁閉によってガス流路を遮断するガス遮断弁１が設けられている。
【０００６】
次に、上述した図４の構成の電子式ガスメータの動作について説明する。μＣＯＭ５は、２つのトランスジューサＴＤ１及びＴＤ２を用いて、サンプリング時間毎にガス流速を計測し、計測したガス流速にガス流路の断面積を乗じて瞬時流量を計測する瞬時流量計測処理を行う。
【０００７】
今、音速をｃ、ガス流の流速をｖとすると、トランスジューサＴＤ１からトランスジューサＴＤ２への超音波信号の伝搬速度は（ｃ＋ｖｃｏｓθ）、トランスジューサＴＤ２からトランスジューサＴＤ１への超音波信号の伝搬速度は（ｃ−ｖｃｏｓθ）となる。従って、Ｌとθが既知であるときには超音波信号の双方向の伝達時間を計測することにより、流速ｖを求めることができる。
【０００８】
そして、このガス流速ｖにガス流路の断面積を乗じることにより瞬時流量を求めることができる。
【０００９】
また、μＣＯＭ５は、出荷モード解除後のガス遮断弁の復帰安全確認する復帰処理を行う。電子式ガスメータは、工場から出荷し、取付現場で取り付けられるまでの間、通常時より低電力消費状態であり、かつ、ガス遮断弁１が弁閉状態である出荷モードに設定してある。マグネットスイッチなどの操作により、この出荷モードの解除操作が行われると、μＣＯＭ５は、上述した復帰処理を開始する。その際、μＣＯＭ５は、まず、混在判断手段、停止手段として働き、出荷モード解除操作後から、超音波信号の受信状態や、超音波信号によって演算した瞬時流量に基づいて、供給ガスと空気との混在無しが検出されるまでの間、混在している状態が発生していると判断して、流量異常の判断を停止する停止処理を行う。
【００１０】
そして、この停止処理を抜けると、μＣＯＭ５は、異常判断手段、復帰安全確認手段として働き、流量異常の判断を再開させ、この流量異常判断に基づいて、復帰安全確認処理を行う。このように、停止処理を設けることにより、瞬時流量（＝流速）を正確に計測することができない供給ガスと空気の混在中に、計測した流速に基づいて流量異常と判断され、復帰安全確認処理によって、ガス遮断弁１が弁閉されることがなくなる。従って、流量異常が発生していないにもかかわらず、出荷モード解除後のガス遮断弁１の復帰ができなくなることを防止することができる。
【００１１】
なお、計測異常もしくは流量変動が長時間継続するようであれば、ガスの混在に起因して計測異常や、流量変動が発生しているのではなく、実際にトランスジューサＴＤ１及びＴＤ２などの故障により計測異常が発生していると判断して、再び出荷モードに移行して、処理を終了する。
【００１２】
以上の判断方法は、供給ガスと空気の混在により流速を計測できない状態が発生している可能性が高いことに基づく。
【特許文献１】特開２００５−１８９２１６号公報
【発明の開示】
【発明が解決しようとする課題】
【００１３】
しかしながら、図４に示す超音波流量計は、マグネットスイッチなどの操作による出荷モードの解除操作が必要であり、その目的のためにのみスイッチを取り付けることは不経済である。
【００１４】
また、スイッチを取り付けることで、不正にスイッチを使用され、超音波流量計を動作させずにガスを使用されてしまう可能性もある。
【００１５】
さらに、超音波流量計の設置状態にかかわらず機器異常判断が実行されるため、消費電流の増大や超音波流量計の機器異常等の誤判断が生じる可能性もある。
【００１６】
例えば、超音波流量計は水平状態であるときに正しく計測できるように最適化されているため、水平状態にない場合に機器異常判断が行われると超音波流量計に機器異常が生じていると誤判断される。また、ガスが供給されていない状態で機器異常判断を行うと、空気とガスの濃度等の違いから正確な機器異常判断を行うことができず、超音波流量計機器の異常等の誤判断を行う恐れがある。
【００１７】
本発明は上述した従来技術の問題点を解決するもので、必要時のみ機器異常判断を実行し、機器異常や流量異常の誤判断を起こさない超音波流量計を提供することを課題とする。
【課題を解決するための手段】
【００１８】
本発明に係る超音波流量計は、上記課題を解決するために、請求項１記載の発明は、被計測流体が流れる流路の上流側と下流側に一定の距離を離して設置された一対の超音波振動子と、前記一対の超音波振動子の間で送受される超音波信号の伝播時間を計測する時間計測手段と、前記時間計測手段により計測された前記伝搬時間に基づいて前記被計測流体の流量を計測する流量計測手段とを有する超音波流量計であって、前記超音波信号の受信信号の電圧レベルを計測する電圧計測手段と、前記電圧計測手段及び前記流量計測手段に基づき機器異常と流量異常との少なくとも一方の異常の検出を行う異常検出手段と、当該超音波流量計の設置状態を検出する設置状態検出手段とを備え、前記異常検出手段は、前記設置状態検出手段により検出された当該超音波流量計の設置状態に基づいて機器異常と流量異常との少なくとも一方の異常の検出を行うか否かを判断することを特徴とする。
【００１９】
請求項２記載の発明は、請求項１において、前記設置状態検出手段は、傾きを検出する傾斜検出部を備え、前記傾斜検出部により検出された傾斜データに基づき当該超音波流量計の設置状態を検出することを特徴とする。
【００２０】
請求項３記載の発明は、請求項１又は請求項２において、前記設置状態検出手段は、圧力を検出する圧力検出部を備え、前記圧力検出部により検出された圧力データに基づき当該超音波流量計の設置状態を検出することを特徴とする。
【００２１】
請求項４記載の発明は、請求項１乃至請求項３のいずれか１項において、前記設置状態検出手段は、震動を検出する震動検出部を備え、前記震動検出部により検出された震動データに基づき当該超音波流量計の設置状態を検出することを特徴とする。
【００２２】
請求項５記載の発明は、請求項１乃至請求項４のいずれか１項において、前記設置状態検出手段は、加速度を検出する加速度検出部を備え、前記加速度検出部により検出された加速度データに基づき当該超音波流量計の設置状態を検出することを特徴とする。
【発明の効果】
【００２３】
本発明の請求項１記載の発明によれば、超音波流量計の設置状態を検出し、設置状態に基づいて機器異常や流量異常の検出を行うか否かを判断することができる。設置状態から機器異常判断を実行するか否かを判断することで、必要時のみ機器異常判断や流量異常判断を実行し、誤判断を起こさない超音波流量計を提供することができる。
【００２４】
本発明の請求項２記載の発明によれば、傾きを検出する傾斜検出部を備えているので、検出された傾斜データに基づいて超音波流量計の設置状態を検出することができる。超音波流量計が水平状態にない場合には設置前であると判断し、機器異常や流量異常の検出を行わないので、誤判断を起こすこともなく、また消費電流も抑制できる。さらに、通常超音波流量計は水平状態であるときに正しく計測できるように最適化されているため、水平状態の場合にのみ異常検出を行うことで、正しい判断ができる。
【００２５】
本発明の請求項３記載の発明によれば、圧力を検出する圧力検出部を備えているので、検出された圧力データに基づいて超音波流量計の設置状態を検出することができる。検出された圧力が大気圧とほぼ同じである場合には、ガスの供給前、すなわち設置前であると判断し、機器異常や流量異常の検出を行わないので、誤判断を起こすこともなく、また消費電流も抑制できる。さらに、所定のガス圧を満たす場合にのみ異常検出を行うことで、正しい判断ができる。
【００２６】
本発明の請求項４記載の発明によれば、震動を検出する震動検出部を備えているので、検出された震動データに基づいて超音波流量計の設置状態を検出することができる。超音波流量計が震動している場合には設置前であると判断し、機器異常や流量異常の検出を行わないので、誤判断を起こすこともなく、また消費電流も抑制できる。設置前であるとの判断は、超音波流量計を移動する際等に生じる震動を検出することに基づく。
【００２７】
本発明の請求項５記載の発明によれば、加速度を検出する加速度検出部を備えているので、検出された加速度データに基づいて超音波流量計の設置状態を検出することができる。加速度が計測された場合には超音波流量計が移動中で設置前であると判断し、機器異常や流量異常の検出を行わないので、誤判断を起こすこともなく、また消費電流も抑制できる。
【００２８】
さらに、本発明の請求項２乃至請求項５に記載の、傾斜検出部、圧力検出部、震動検出部、加速度検出部は、超音波流量計を設置後であっても超音波流量計がガスの流量を正確に計測するために適正な環境に設置されているか否かを判断するのに用いることもできる。したがって、出荷モードの解除目的にのみマグネットスイッチ等を設けるよりも経済的という利点がある。
【発明を実施するための最良の形態】
【００２９】
以下、本発明の超音波流量計の実施の形態を、図面に基づいて詳細に説明する。
【実施例１】
【００３０】
以下、本発明の実施例について図面を参照しながら説明する。図１は本発明の実施例１のブロック図、図２は図１の制御部の詳細を示す図である。
【００３１】
まず、本実施の形態の構成を説明すると、本実施の形態に係る超音波流量計は、図１に示すように、ガス流入口１０ａ、ガス流路１０ｃ、ガス流出口１０ｂ、超音波振動子１１ａ、超音波振動子１１ｂ、遮断弁１３、表示部１４、傾斜センサ１５、圧力センサ１６、感震センサ１７、加速度センサ１８、及び制御部２０で構成されている。
【００３２】
超音波振動子１１ａと超音波振動子１１ｂは、被計測流体が流れるガス流路１０ｃの上流側と下流側に一定の距離を離して設置されている。超音波振動子１１ａと超音波振動子１１ｂとの間で、流体の流れの順方向および逆方向に相互に超音波を送受信する動作が繰り返し行なわれ、各方向における超音波の伝播積算時間の差に基づき流量が算出される。
【００３３】
傾斜センサ１５は、本発明の傾斜検出部に対応し、制御部２０に接続されており、超音波流量計の傾きを検出し、傾斜データとして制御部２０に送る。この傾斜センサ１５はどのようなものであってもよいが、１例としては、すり鉢上の中にボールが入っており、通常はオフであるが、すり鉢の角度以上に傾斜がかかるとオンし、振動時にはチャタリング（パルス：オン/オフの繰返し）がする機械センサのようなものが考えられる。
【００３４】
圧力センサ１６は、本発明の圧力検出部に対応し、制御部２０に接続されており、ガス流路１０ｃ内のガスの圧力を検出し、圧力データとして制御部２０に送る。圧力センサ１６もどのようなものであってもよいが、１例としては、圧電素子を利用したピエゾ型圧力センサ等が考えられる。
【００３５】
感震センサ１７は、本発明の震動検出部に対応し、制御部２０に接続されており、超音波流量計の震動を検出し、震動データとして制御部２０に送る。感震センサ１７もどのようなものであってもよいが、１例としては、上述したすり鉢状のセンサを用いることができる。
【００３６】
加速度センサ１８は、本発明の加速度検出部に対応し、制御部２０に接続されており、超音波流量計の加速度を検出し、加速度データとして制御部２０に送る。加速度センサ１８もどのようなものであってもよいが、１例としては、ばねと質量からなる系の質量部の変位を静電容量の変化を利用して検出する静電容量型加速度センサが考えられる。
【００３７】
制御部２０は、超音波振動子１１ａ、１１ｂから送受される超音波信号に基づいて得られる伝播時間に基づき流量を計測する。さらに制御部２０は、計測された流量データを監視し、流量データに基づいて異常が発生したと判断した場合に、遮断弁１３に制御信号を送ることでガス流路１０ｃを閉じてガスを遮断する。
【００３８】
表示部１４は、ＬＥＤ，ＬＣＤ等であり、制御部２０からの制御信号に応じて、通常は、ガス使用積算値を表示し、ガス漏れなどの異常が生じた場合に、その旨を表すメッセージを表示する。
【００３９】
次に制御部２０の内部構成を説明する。図２に示すように、制御部２０は、伝搬時間計測部２２、流量計測部２４、電圧計測部２５、検出部２６（異常検出部２６ａ、設置状態検出部２６ｂ）、警告部２７、停止部２８で構成されている。
【００４０】
伝搬時間計測部２２は、本発明の時間計測手段に対応し、超音波振動子１１ａ及び１１ｂ、流量計測部２４に接続されており、超音波振動子１１ａ及び１１ｂの間で送受される超音波信号の伝播時間を計測する。
【００４１】
流量計測部２４は、本発明の流量計測手段に対応し、伝搬時間計測部２２、検出部２６、表示部１４に接続されている。また流量計測部２４は、伝搬時間計測部２２により計測された伝搬時間に基づいて被計測流体の流量を計測する。
【００４２】
電圧計測部２５は、本発明の電圧計測手段に対応し、超音波振動子１１ａ及び１１ｂ、検出部２６に接続されており、超音波信号の受信信号の電圧レベルを計測する。
【００４３】
検出部２６は、異常検出部２６ａと設置状態検出部２６ｂとからなり、流量計測部２４、電圧計測部２５、警告部２７、停止部２８に接続されている。また検出部２６は、外部のセンサ類に接続されている。異常検出部２６ａは、本発明の異常検出手段に対応し、電圧計測部２５及び流量計測部２４に基づき機器異常と流量異常との少なくとも一方の異常の検出を行う。設置状態検出部２６ｂは、本発明の設置状態検出手段に対応し、超音波流量計の設置状態を検出する。
【００４４】
警告部２７は、検出部２６及び表示部１４に接続されている。停止部２８は、検出部２６及び遮断弁１３に接続されている。
【００４５】
図３は、本実施例の形態の動作を示すフローチャート図である。図３を参照し実施例１に係る超音波流量計の動作を説明する。
【００４６】
最初に超音波流量計が設置前であるか否かの判定処理を行う（Ｓ１０１）。傾斜センサ１５は、超音波流量計の傾きを検出し、傾斜データとして制御部２０内部の検出部２６へ送る。圧力センサ１６は、ガス流路１０ｃ内に供給されるガスの圧力を検出し、圧力データとして制御部２０内部の検出部２６へ送る。感震センサ１７は、超音波流量計の震動を検出し、震動データとして制御部２０内部の検出部２６へ送る。加速度センサ１８は、超音波流量計の加速度を検出し、加速度データとして制御部２０内部の検出部２６へ送る。
【００４７】
検出部２６内の設置状態検出部２６ｂは、各センサから送られてきた傾斜データ、圧力データ、震動データ、加速度データに基づき設置状態を検出し、超音波流量計が設置前であるか否かを判断する。すなわち、前述した傾斜センサ１５、圧力センサ１６、感震センサ１７、及び加速度センサ１８は、設置状態検出部２６ｂの検出機関として機能するものであり、設置状態検出部２６ｂの一部であるということができる。
【００４８】
具体的には、以下のように判断する。設置状態検出部２６ｂは、傾斜データに基づき超音波流量計が水平であるか否かを判断することができる。例として設置状態検出部２６ｂは、超音波流量計の傾斜角が水平面に対して５度以上であるならば、水平ではない、すなわち設置前であると判断することができる。
【００４９】
また設置状態検出部２６ｂは、圧力データに基づきガス流路１０ｃ内にガスが供給されたか否かを判断することができる。例として設置状態検出部２６ｂは、圧力データに基づく値が大気圧もしくは所定の圧力以下であるならば、ガス供給前、すなわち設置前であると判断することができる。
【００５０】
また設置状態検出部２６ｂは、震動データに基づき超音波流量計が震動しているか否かを判断することができる。震動している場合（例えば所定の震動量を越えている場合）には、設置状態検出部２６ｂは、超音波流量計が移動している状態にある等の理由により震動が生じているとして、設置前であると判断することができる。
【００５１】
また設置状態検出部２６ｂは、加速度データに基づき超音波流量計が加速状態にあるか否かを判断することができる。加速している場合（例えば所定の加速度を越えている場合）には、設置状態検出部２６ｂは、超音波流量計が移動している状態にある等の理由により加速しているとして、設置前であると判断することができる。
【００５２】
設置状態検出部２６ｂは、超音波流量計が設置前であるか否かの判断を行うにあたって、条件を自由に設定することができる。例えば、圧力データ、傾斜データ、震動データ、加速度データのうち、いずれか一つでも基準に満たない場合には、設置前であると判断することができる。また４種類のセンサ全てを必ずしも使う必要はなく、組み合わせは自由である。
【００５３】
設置状態検出部２６ｂにより、超音波流量計が設置前であることが検出された場合、警告部２７は設置前である旨の警告を行う（Ｓ１０３）。警告部２７による警告は、どのようなものであってもよく、表示部１４にメッセージを表示して警告、あるいは音や光などによる警告が考えられる。警告を行った後は、再び設置前であるか否かの判定処理（Ｓ１０１）に戻る。
【００５４】
設置状態検出部２６ｂにより、超音波流量計が設置後であることが検出された場合、超音波流量計は流量計測モードに移行し、ガスの流量を計測する（Ｓ１０５）。その際、異常検出部２６ａは、機器異常と流量異常との少なくとも一方の異常の検出を行う（Ｓ１０７）。したがって、異常検出部２６ａは、設置状態検出部２６ｂにより検出された超音波流量計の設置状態に基づいて機器異常と流量異常との少なくとも一方の異常の検出を行うか否かを判断することになる。
【００５５】
機器異常を求める場合、電圧計測部２５は、超音波振動子１１ａ又は超音波振動子１１ｂにおける超音波信号の受信信号の電圧レベルを計測し、計測結果を異常検出部２６ａに伝える。異常検出部２６ａは、伝えられた電圧レベルの計測結果に基づき異常の有無を検出する。また、異常検出部２６ａは、さらに傾斜センサ１５、圧力センサ１６、感震センサ１７、加速度センサ１８を監視することで、機器異常の有無を検出することもできる。
【００５６】
流量異常を求める場合、伝播時間計測部２２は、超音波振動子１１ａ及び１１ｂにより送受される超音波信号の伝播時間を計測し、計測結果を流量計測部２４に伝える。流量計測部２４は、伝搬時間計測部２２により測定された伝搬時間に基づきガス流速を求め、求められたガス流速にガス流路１０ｃの断面積を乗じることにより瞬時流量を求める。流量計測部２４はさらに、求めた流量の計測結果を異常検出部２６ａに伝える。異常検出部２６ａは、伝えられた流量の計測結果に基づき異常の有無を検出する。異常が無ければ、再び流量計測モード（Ｓ１０５）に戻る。
【００５７】
異常検出部２６ａにより機器異常もしくは流量異常が検出された場合、警告部２７は警告を行い、停止部２８は遮断弁１３を閉じて被計測流体であるガスの流入出を停止させる（Ｓ１０９）。
【００５８】
警告部２７による警告は、どのようなものであってもよく、表示部１４にメッセージを表示して警告、あるいは音や光などによる警告が考えられる。また異常の度合いに応じて段階的に警告を行うものであってもよい。例えば異常の度合いが軽度であれば表示部１４にメッセージを表示し、中度であれば警報を鳴らし、重度のときに初めて停止部２８を介して遮断弁１３を閉じるというものも考えられる。
【００５９】
上述のとおり、本発明の実施例１の形態に係る超音波流量計によれば、設置状態検出部２６ｂに基づき超音波流量計の設置状態を検出し、設置状態に基づいて機器異常や流量異常の検出を行うか否かを判断することができる。設置後にのみ異常判断を実行するため、必要時のみ機器異常判断や流量異常判断を実行し、誤判断を起こさない超音波流量計を提供することができる。また不要な動作を行わないため、消費電力を抑制する効果もある。さらに出荷モードの解除操作を行うマグネットスイッチ等を設ける必要が無いため、スイッチが不正に使用されるのを防止することができる。
【００６０】
また、傾きを検出する傾斜センサ１５を備えているので、検出された傾斜データに基づいて超音波流量計の設置状態を検出することができる。超音波流量計が水平状態にない場合には設置前であると判断し、機器異常や流量異常の検出を行わないので、誤判断を起こすこともなく、また消費電流も抑制できる。さらに、通常超音波流量計は水平状態であるときに正しく計測できるように最適化されているため、水平状態の場合にのみ異常検出を行うことで、正しい判断ができる。
【００６１】
また、圧力を検出する圧力センサ１６を備えているので、検出された圧力データに基づいて超音波流量計の設置状態を検出することができる。検出された圧力が大気圧とほぼ同じである場合には、ガスの供給前、すなわち設置前であると判断し、機器異常や流量異常の検出を行わないので、誤判断を起こすこともなく、また消費電流も抑制できる。さらに、所定のガス圧を満たす場合にのみ異常検出を行うことで、正しい判断ができる。
【００６２】
また、震動を検出する感震センサ１７を備えているので、検出された震動データに基づいて超音波流量計の設置状態を検出することができる。超音波流量計が震動している場合には設置前であると判断し、機器異常や流量異常の検出を行わないので、誤判断を起こすこともなく、また消費電流も抑制できる。設置前であるとの判断は、超音波流量計を移動する際等に生じる震動を検出することに基づく。
【００６３】
また、加速度を検出する加速度センサ１８を備えているので、検出された加速度データに基づいて超音波流量計の設置状態を検出することができる。加速度が計測された場合には超音波流量計が移動中で設置前であると判断し、機器異常や流量異常の検出を行わないので、誤判断を起こすこともなく、また消費電流も抑制できる。
【００６４】
さらに、傾斜センサ１５、圧力センサ１６、感震センサ１７、加速度センサ１８は、超音波流量計を設置後であっても超音波流量計がガスの流量を正確に計測するために適正な環境に設置されているか否かを判断するのに用いることもできる。したがって、出荷モードの解除目的にのみマグネットスイッチ等を設けるよりも経済的という利点がある。
【産業上の利用可能性】
【００６５】
本発明に係る超音波流量計は、ガス流量を計測することができる超音波ガスメータ等の超音波流量計に利用可能である。
【図面の簡単な説明】
【００６６】
【図１】本発明の実施例１の形態の超音波流量計のブロック図である。
【図２】本発明の実施例１の制御部の内部構成を示すブロック図である。
【図３】本発明の実施例１の形態の動作を示すフローチャート図である。
【図４】従来の超音波流量計の構成を示すブロック図である。
【符号の説明】
【００６７】
ＴＤ１  トランスジューサ（流速計測手段）
ＴＤ２  トランスジューサ（流速計測手段）
１      ガス遮断弁
２ａ    トランスジューサＩ／Ｆ回路（流速計測手段）
２ｂ    トランスジューサＩ／Ｆ回路（流速計測手段）
３      送信回路（送信手段、流速計測手段）
４      受信回路（受信手段、流速計測手段）
５      μＣＯＭ
６      表示器
１０ａ  ガス流入口
１０ｂ  ガス流出口
１０ｃ  ガス流路
１１ａ  超音波振動子
１１ｂ  超音波振動子
１３    遮断弁
１４    表示部
１５    傾斜センサ
１６    圧力センサ
１７    感震センサ
１８    加速度センサ
２０    制御部
２２    伝搬時間計測部
２４    流量計測部
２５    電圧計測部
２６    検出部
２６ａ  異常検出部
２６ｂ  設置状態検出部
２７    警告部
２８    停止部
【図１】
2008170213.tif 000003
【図２】
2008170213.tif 000004
【図３】
2008170213.tif 000005
【図４】
2008170213.tif 000006